【手続補正書】
【提出日】平成17年11月1日(2005.11.1)
【手続補正１】
【補正対象書類名】特許請求の範囲
【補正対象項目名】全文
【補正方法】変更
【補正の内容】
【特許請求の範囲】
【請求項１】
ハンドレール（200）に被着される軟質フィルムであって、ハンドレール（200）に一致した幅を有していて細長く、ハンドレール（200）に合うように切断されるようになっていて、第１のフィルム層（162）と、第１のフィルム層（162）の下面に被着されており、軟質フィルムをハンドレールに着脱自在に取り付ける第１の接着剤層（164）と、第２のフィルム層（170）と、フィルムを形成するために、第２のフィルム層（170）の下面を第１のフィルム層（162）の頂部に接合し、その結果フィルムが単一の複合フィルムとしてハンドレール（200）に被着されるとともにハンドレール（200）から取り外されるようにされている第２の接着剤層（172）と、第１のフィルム層（162）と第２のフィルム層（170）の間に位置している印刷物（168）とを有することを特徴とする軟質フィルム。
【請求項２】
印刷物（168）は第１のフィルム層（162）の頂部に設けられていることを特徴とする請求項１に記載の軟質フィルム。
【請求項３】
印刷物（168）は、フィルムの長さに沿って一定間隔で繰り返されたパターンから成ることを特徴とする請求項２に記載の軟質フィルム。
【請求項４】
全体としてフィルムと同一幅のものであり、第１の接着剤層（164）を保護する細長い剥離シート（166）をさらに有することを特徴とする請求項２に記載の軟質フィルム。
【請求項５】
前記第１のフィルム層（162）と第２のフィルム層（170）のそれぞれは、厚さが０．０５ｍｍのポリウレタンから成ることを特徴とする請求項４に記載の軟質フィルム。
【請求項６】
フィルムを弱め、それにより非常時にフィルムを引き裂いてフィルムの一部を取り除きやすくする手段を一定間隔で有していることを特徴とする請求項１ないし請求項５のいずれか１項に記載の軟質フィルム。
【請求項７】
フィルムを弱める手段は、フィルムを貫通して延びるミシン目（262,266,268,270,272）からなる切り取り線であることを特徴とする請求項６に記載の軟質フィルム。
【請求項８】
前記ミシン目（262,266,268）は、フィルムを横切って傾斜した角度で延びていることを特徴とする請求項７に記載の軟質フィルム。
【請求項９】
側部ミシン目から成る１対の長手方向に延びる切り取り線と、ミシン目から成る長手方向切り取り線相互間に一定間隔で延びるミシン目の横断方向切り取り線とを有することを特徴とする請求項８に記載の軟質フィルム。
【請求項１０】
前記第１のフィルム層（162）と第２のフィルム層（170）は、同一の広がりと共通の縁部を有しており、軟質フィルムは、印刷物（168）が無視できる厚さを有しているので、実質的に均一な厚さを有していることを特徴とする請求項１ないし請求項９のいずれか１項に記載の軟質フィルム。
【請求項１１】
前記軟質フィルムはその全表面にわたってハンドレールに付着され接着されることを特徴とする請求項１ないし請求項１０のいずれか１項に記載のハンドレールと軟質フィルムの組合せ。
【請求項１２】
前記ハンドレールは、頂面と、この頂面に隣接する複数の肩表面とを有し、前記軟質フィルムは少なくとも前記ハンドレールの前記肩表面の部分の周りに延びていることを特徴とする請求項１１に記載のハンドレールと軟質フィルムの組合せ。
【請求項１３】
前記軟質フィルムは、前記ハンドレールの全長に沿って延びており、前記軟質フィルムは、添え継ぎ部を形成するために互いにオーバーラップする端部を有していることを特徴とする請求項１１または請求項１２に記載のハンドレールと軟質フィルムの組合せ。
【請求項１４】
頂面およびこの頂面に隣接する複数の肩表面を備えた細長いハンドレールと、このハンドレールに被着される軟質フィルムとからなるハンドレールと軟質フィルムの組合せにおいて、
前記軟質フィルムは、その上に表示表面を備えた第１のフィルム層（162）と、この第１のフィルム層（162）を前記ハンドレール（200）に接着するために前記第１のフィルム層（162）および前記ハンドレール（200）間に介装されている第１の接着剤層（164）とを有し、前記第１のフィルム層は前記ハンドレールの頂面および少なくとも肩表面を被覆し、前記第１の接着剤層（164）は、前記軟質フィルムの迅速な剥ぎ取りを許容するようになっており、
使用時、前記細長いハンドレールは、前記軟質フィルムの有無にかかわらず使用可能とされ、前記軟質フィルムは、他の軟質フィルムと交換可能とされており、 前記軟質フィルムは、前記表示表面が無視できる厚さを有しているので、全体的に実質的に均一な厚さを有しており、
前記軟質フィルムは、前記ハンドレールの長さ方向に沿って実質的に連続していることを特徴とするハンドレールと軟質フィルムの組合せ。
【請求項１５】
前記軟質フィルムは、第２のフィルム層（170）と、この第２のフィルム層（170）を前記第１のフィルム層（162）の頂部に結合する第２の接着剤層（172）とをさらに有していることを特徴とする請求項１４に記載のハンドレールと軟質フィルムの組合せ。
【請求項１６】
前記表示表面は、前記第１のフィルム層（162）と前記第２の接着剤層（172）との間において前記第１のフィルム層（162）の頂部に施された印刷物（168）を有していることを特徴とする請求項１５に記載のハンドレールと軟質フィルムの組合せ。
【請求項１７】
前記印刷物（168）は、前記軟質フィルムの長さと連続的に前記ハンドレールの長さに沿って一定間隔で繰り返されたパターンから成ることを特徴とする請求項１４に記載のハンドレールと軟質フィルムの組合せ。
【請求項１８】
前記印刷物（168）は、前記軟質フィルムの長さと連続的に前記ハンドレールの長さに沿って一定間隔で繰り返されたパターンから成ることを特徴とする請求項１６に記載のハンドレールと軟質フィルムの組合せ。
【請求項１９】
前記第１のフィルム層（162）は、べた色と繰り返しパターンのうち少なくとも一方を有していることを特徴とする請求項１５、請求項１６または請求項１８に記載のハンドレールと軟質フィルムの組合せ。
【請求項２０】
前記軟質フィルムの各層は、厚さが０．０５ｍｍのポリウレタンから成ることを特徴とする請求項１５、請求項１６、請求項１８または請求項１９に記載のハンドレールと軟質フィルムの組合せ。
【請求項２１】
前記ハンドレールは、使用中エスカレータまたは動く舗道上で駆動されるようになったハンドレールの連続ループから成り、前記軟質フィルムは、添え継ぎ部を形成するために互いにオーバーラップする端部を有していることを特徴とする請求項１４ないし請求項２０のいずれか１項に記載のハンドレールと軟質フィルムの組合せ。
【請求項２２】
ハンドレールの細長い連続した手すりを備えた動くハンドレールの表面上に広告する画像を有する方法において、
（ａ） 第１のフィルム層と、この第１のフィルム層の下面に被着されており軟質フィルムをハンドレールに着脱自在に取り付ける第１の接着剤層と、前記軟質フィルムに設けられた画像とを有し、前記ハンドレール外周とハンドレールの肩表面の少なくとも一部を被覆するのに十分な幅と、前記ハンドレールの連続した手すりの長さより長い長さを有する軟質フィルムを供給する工程と、
（ｂ） 前記ハンドレール上に前記フィルムを被着し、前記軟質フィルムが前記ハンドレールの肩表面の少なくとも一部の外周に延び、前記ハンドレールの長さ方向に沿って連続している工程と、
（ｃ） 前記軟質フィルムを設定した期間、前記ハンドレール上に保持する工程と、
（ｄ） 前記軟質フィルムが前記ハンドレール上にある期間に基づいて前記ハンドレール上の前記画像により用意された広告の料金を請求する工程と、
（ｅ） 設定期間が終了したら、前記ハンドレールを再使用できるようにするため前記ハンドレールから前記軟質フィルムを取り除いてハンドレールを洗浄する工程を含む方法。
【請求項２３】
さらに
（ｆ） 異なる画像を保持している追加の前記軟質フィルムのために必要とされる工程（ａ）ないし工程（ｅ）を繰り返す工程を含む請求項２２に記載の方法。
【請求項２４】
前記画像は前記軟質フィルムの長さ方向に沿って標準長さごとに繰り返されているひとつのパターンにより構成されている請求項２２または請求項２３に記載の方法。
【請求項２５】
前記工程（ｂ）には、オーバーラップした添え継ぎ部が用意されている請求項２２ないし請求項２４のいずれか１項に記載の方法。
【手続補正２】
【補正対象書類名】明細書
【補正対象項目名】発明の名称
【補正方法】変更
【補正の内容】
【発明の名称】ハンドレール用軟質フィルム、ハンドレールと軟質フィルムの組合せおよびハンドレールの表面上に広告する画像を有する方法
【手続補正３】
【補正対象書類名】明細書
【補正対象項目名】００１７
【補正方法】変更
【補正の内容】
【００１７】
本発明の第１の特徴によれば、ハンドレールに被着される軟質フィルムが提供される。ハンドレールは、例えば動く歩道の移動ハンドレール、又はエスカレータのハンドレール、或いは例えば階段に見受けられるような固定ハンドレールであるのがよい。この軟質フィルムは、ハンドレール（200）に被着される軟質フィルムであって、ハンドレール（200）に一致した幅を有していて細長く、ハンドレール（200）に合うように切断されるようになっていて、第１のフィルム層（162）と、第１のフィルム層（162）の下面に被着されており、軟質フィルムをハンドレールに着脱自在に取り付ける第１の接着剤層（164）と、第２のフィルム層（170）と、フィルムを形成するために、第２のフィルム層（170）の下面を第１のフィルム層（162）の頂部に接合し、その結果フィルムが単一の複合フィルムとしてハンドレール（200）に被着されるとともにハンドレール（200）から取り外されるようにされている第２の接着剤層（172）と、第１のフィルム層（162）と第２のフィルム層（170）の間に位置している印刷物（168）とを有することを特徴としている。
【手続補正４】
【補正対象書類名】明細書
【補正対象項目名】００１８
【補正方法】変更
【補正の内容】
【００１８】
本発明の第２の特徴によれば、ハンドレールと本発明の第１の特徴によって説明されたような軟質フィルムとの組合せが提供される。この組合せは、頂面およびこの頂面に隣接する複数の肩表面を備えた細長いハンドレールと、このハンドレールに被着される軟質フィルムとからなるハンドレールと軟質フィルムの組合せにおいて、前記軟質フィルムは、その上に表示表面を備えた第１のフィルム層（162）と、この第１のフィルム層（162）を前記ハンドレール（200）に接着するために前記第１のフィルム層（162）および前記ハンドレール（200）間に介装されている第１の接着剤層（164）とを有し、前記第１のフィルム層は前記ハンドレールの頂面および少なくとも肩表面を被覆し、前記第１の接着剤層（164）は、前記軟質フィルムの迅速な剥ぎ取りを許容するようになっており、使用時、前記細長いハンドレールは、前記軟質フィルムの有無にかかわらず使用可能とされ、前記軟質フィルムは、他の軟質フィルムと交換可能とされており、 前記軟質フィルムは、前記表示表面が無視できる厚さを有しているので、全体的に実質的に均一な厚さを有しており、前記軟質フィルムは、前記ハンドレールの長さ方向に沿って実質的に連続していることを特徴としている。
【手続補正５】
【補正対象書類名】明細書
【補正対象項目名】００１９
【補正方法】変更
【補正の内容】
【００１９】
本発明の第３の特徴によれば、ハンドレールの細長い連続した手すりを備えた動くハンドレールの表面上に広告する画像を有する方法が提供される。この方法は、（ａ）第１のフィルム層と、この第１のフィルム層の下面に被着されており軟質フィルムをハンドレールに着脱自在に取り付ける第１の接着剤層と、前記軟質フィルムに設けられた画像とを有し、前記ハンドレール外周とハンドレールの肩表面の少なくとも一部を被覆するのに十分な幅と、前記ハンドレールの連続した手すりの長さより長い長さを有する軟質フィルムを供給する工程と、（ｂ）前記ハンドレール上に前記フィルムを被着し、前記軟質フィルムが前記ハンドレールの肩表面の少なくとも一部の外周に延び、前記ハンドレールの長さ方向に沿って連続している工程と、（ｃ）前記軟質フィルムを設定した期間、前記ハンドレール上に保持する工程と、（ｄ）前記軟質フィルムが前記ハンドレール上にある期間に基づいて前記ハンドレール上の前記画像により用意された広告の料金を請求する工程と、（ｅ）設定期間が終了したら、前記ハンドレールを再使用できるようにするため前記ハンドレールから前記軟質フィルムを取り除いてハンドレールを洗浄する工程を含んでいる。